(57)【要約】      （修正有）【課題】ヘッド本体のノズル取付部に対するノズルの位置決めを高精度に簡単且つ容易に行うことを可能とする。【解決手段】火災時に消火用水をトンネル内の放水対象空間に放水する水噴霧ヘッド１８は、ヘッド本体２０の超遠投ノズル取付部２２、遠投ノズル取付部２４及び近投ノズル取付部２６に設けたねじ穴に、超遠投ノズル２８、遠投ノズル３０及び近投ノズル３２を、ノズルを六角ボルト面に続いて設けたねじ部によりねじ込み固定する。ヘッド本体１８のノズル取付部側には、所定の形状により位置合せ基準面を形成する。ヘッド本体１８のねじ穴にノズル側のねじ部をねじ込んで締め付け固定する際の最終締め付け位置で、ノズル取付部の位置合せ基準面に、ノズルの合せ面表示マーカを表示した所定の六角ボルト面を位置決めする。【選択図】図２
2015036000.tif 000002
【特許請求の範囲】
【請求項１】
火災時に消火用水をトンネル内の放水対象空間に放水する水噴霧ヘッドに於いて、
ねじ穴を開口したノズル取付部を設けたヘッド本体と、
多角ボルト面に続いてねじ部を設け、当該ねじ部により前記ヘッド本体に設けたノズル取付部のねじ穴にねじ込み固定するノズルと、
前記ノズル取付部に設けた所定の形状により位置合せ基準面を形成する位置合せ部と、
を設け、
前記ヘッド本体のねじ穴に前記ノズルのねじ部をねじ込んで締め付け固定する際の最終締め付け位置で、所定の多角ボルト面を前記位置合せ基準面に位置合せする構造としたことを特徴とする水噴霧ヘッド。
【請求項２】
請求項１記載の水噴霧ヘッドに於いて、
前記位置合せ部は、前記ねじ穴開口面のねじ穴を含む径方向に凹陥部を形成し、当該凹陥部の段部により平行な一対の位置合せ基準面を形成し、
前記ノズル取付部のねじ穴に前記ノズルのねじ部をねじ込んで締め付け固定する際の最終締め付け位置で、前記一対の位置合せ基準面に前記ノズルの所定の多角ボルト面を位置合せする構造としたことを特徴とする水噴霧ヘッド。
【請求項３】
請求項１記載の水噴霧ヘッドに於いて、
前記位置合せ部は、前記ねじ穴開口面の両側に一対の矩形張出し部を平行に形成し、当該一対の矩形張出し部の外側面により平行な一対の位置合せ基準面を形成し、
前記ノズル取付部のねじ穴に前記ノズルのねじ部をねじ込んで締め付け固定する際の最終締め付け位置で、前記一対の位置合せ基準面に前記ノズルの所定の多角ボルト面を位置合せする構造としたことを特徴とする水噴霧ヘッド。
【請求項４】
請求項１記載の水噴霧ヘッドに於いて、
前記位置合せ部は、前記ねじ穴開口面の外側の径方向に一対の切欠段部を形成し、当該一対の切欠段部により平行な一対の位置合せ基準面を形成し、
前記ノズル取付部のねじ穴に前記ノズルのねじ部をねじ込んで締め付け固定する際の最終締め付け位置で、前記一対の位置合せ基準面に前記ノズルの所定の多角ボルト面を位置合せする構造としたことを特徴とする水噴霧ヘッド。
【請求項５】
請求項１記載の水噴霧ヘッドに於いて、
前記位置合せ部は、前記ねじ穴開口面の外側に、前記ノズルの多角ボルト面より大きい多角ナット面を位置合せ基準面として形成し、
前記ノズル取付部のねじ穴に前記ノズルのねじ部をねじ込んで締め付け固定する際の最終締め付け位置で、相対する前記多角ナット面と前記多角ボルト面を位置合せする構造としたことを特徴とする水噴霧ヘッド。
【請求項６】
請求項１乃至５の何れかに記載の水噴霧ヘッドに於いて、前記位置合せ基準面に位置決めする所定の多角ボルト面を表示する合せ面表示マーカを設けたことを特徴とする水噴霧ヘッド。
【請求項７】
請求項１記載の水噴霧ヘッドに於いて、前記ヘッド本体に複数のノズル取付部を設けると共に、前記複数のノズル取付部に放水距離の異なるノズルをねじ込み固定したことを特徴とする水噴霧ヘッド。
【請求項８】
請求項７記載の水噴霧ヘッドに於いて、前記ヘッド本体の複数のノズル取付部に、超遠投ノズル、遠投ノズル及び近投ノズルをねじ込み固定したことを特徴とする水噴霧ヘッド。
【発明の詳細な説明】
【技術分野】
【０００１】
本発明は、火災時に消火用水をトンネル内の散水対象空間に散水する水噴霧ヘッドに関する。
【背景技術】
【０００２】
従来、自動車専用道路等のトンネルには、トンネル内で発生する火災事故から人身及び車両を守るため、非常用設備が設置されている。このような非常用設備としては、火災の監視と通報のため火災検知器や非常電話が設けられ、また火災の消火や延焼防止のために消火栓装置が設けられ、更にトンネル躯体を火災から防護するために水噴霧ヘッドから加圧消火用水を散水させる水噴霧設備が設けられる。
【０００３】
水噴霧設備は５０メートル間隔の散水区画単位に１台の自動弁装置が設置され、５メートル間隔に配置した複数の水噴霧ヘッドに対し自動弁装置から加圧消火用水を供給して一斉に散水させる。
【０００４】
水噴霧ヘッドは、トンネルの様な大きな散水対象空間に対し均等に散水するため、ヘッド本体に対し散水距離及び散水パターンの異なる複数のノズル、例えば超遠投ノズル、遠投ノズル及び近投ノズルを配置し、これらのノズルの散水パターンの組合せにより、トンネル内の散水対象空間に対し消火用水を略均一に散水するようにしている。
【先行技術文献】
【特許文献】
【０００５】
【特許文献１】特開２００２−３５５３２４号公報
【特許文献２】特開２０１２−１０５８５３号公報
【発明の概要】
【発明が解決しようとする課題】
【０００６】
ところで、従来の水噴霧ヘッドにあっては、ヘッド本体に装着する個々のノズルについては、良好な散水を行うように高精度な製作を行っており、このようにして製作した複数のノズルをヘッド本体に取り付ける際にも、ヘッド本体をトンネル内に設置した場合にノズルの散水方向が所定の方向となるように組付け作業を行っている。
【０００７】
ヘッド本体に対するノズルの取り付けは、ヘッド本体のノズル取付部に設けたねじ穴に、ノズルのテーパねじ部をねじ込み、最終締め付け位置でノズル先端のノズル開口穴が所定方向に向くように締め付け固定する作業となる。
【０００８】
この場合、ヘッド本体に対するノズルの取付け方向を誤ると、トンネルに設置した場合に良好な散水パターンが得られないばかりか、水噴霧設備の本来の目的であるトンネル躯体を冷却する機能が損なわれる恐れがある。
【０００９】
そこで、ヘッド本体に対するノズルの取付け方向を特定する治具を使用して位置合せを行っているが、手間と時間がかかる問題がある。
【００１０】
また、ヘッド本体のノズル取付部とノズルの最終締め付け位置で隣接して相対する位置の各々にポンチ等を使用して位置合せライン（マーカ）を刻設し、両方の位置合せラインが一致するように最終的な締め付け位置を調整することも考えられる。
【００１１】
しかしながら、ヘッド本体に対するノズルの取付部分は、ノズル先端の中心軸線方向から見ると隠れて見えづらくなる位置であり、このような位置に位置合せラインを設けていても、位置合せに手間と時間がかかり、位置合せ作業に十分利用できない問題がある。
【００１２】
また、ヘッド本体及びノズル側に設ける位置合せラインは、一点で合せて位置決めすることから、位置合せラインをヘッド本体及びノズルの各々に高い精度で設ける必要があり、製造上の負担が増加する問題もある。
【００１３】
本発明は、ヘッド本体のノズル取付部に対するノズルの位置決めを高精度に簡単且つ容易に行うことを可能とする水噴霧ヘッドを提供することを目的とする。
【課題を解決するための手段】
【００１４】
（水噴霧ヘッド）
本発明は、火災時に消火用水をトンネル内の散水対象空間に散水する水噴霧ヘッドに於いて、
ねじ穴を開口したノズル取付部を設けたヘッド本体と、
多角ボルト面に続いてねじ部を設け、当該ねじ部によりヘッド本体に設けたノズル取付部のねじ穴にねじ込み固定するノズルと、
ノズル取付部に設けた所定の形状により位置合せ基準面を形成する位置合せ部と、
を設け、
ヘッド本体のねじ穴にノズルのねじ部をねじ込んで締め付け固定する際の最終締め付け位置で、所定の六角ボルト面を位置合せ基準面に位置合せする構造としたことを特徴とする。
【００１５】
（第１の位置合せ部）
位置合せ部は、ねじ穴開口面のねじ穴を含む径方向に凹陥部を形成し、当該凹陥部の段部により平行な一対の位置合せ面を形成し、
ノズル取付部のねじ穴にノズルのねじ部をねじ込んで締め付け固定する際の最終締め付け位置で、一対の位置合せ基準面にノズルの所定の多角ボルト面を位置合せする構造とする。
【００１６】
（第２の位置合せ部）
また、位置合せ部は、ねじ穴開口面の両側に一対の矩形張出し部を平行に形成し、当該一対の矩形張出し部の外側面により平行な一対の位置合せ基準面を形成し、
ノズル取付部のねじ穴にノズルのねじ部をねじ込んで締め付け固定する際の最終締め付け位置で、一対の位置合せ基準面にノズルの所定の多角ボルト面を位置合せする構造とする。
【００１７】
（第３の位置合せ部）
また、位置合せ部は、ねじ穴開口面の外側の径方向に一対の切欠段部を形成し、当該一対の切欠段部により平行な一対の位置合せ基準面を形成し、
ノズル取付部のねじ穴にノズルのねじ部をねじ込んで締め付け固定する際の最終締め付け位置で、一対の位置合せ基準面にノズルの所定の多角ボルト面を位置合せする構造とする。
【００１８】
（第４の位置合せ部）
位置合せ部は、ねじ穴開口面の外側に、ノズルの多角ボルト面より大きい多角ナット面を位置合せ基準面として形成し、
ノズル取付部のねじ穴に前記ノズルのねじ部をねじ込んで締め付け固定する際の最終締め付け位置で、相対する多角ナット面と多角ボルト面を位置合せする構造とする。
【００１９】
（合せ面表示マーカ）
位置合せ基準面に、位置決めする所定の六角ボルト面を表示する合せ面表示マーカを設ける。
【００２０】
（複数ノズル）
ヘッド本体に複数のノズル取付部を設けると共に、複数のノズル取付部に散水距離の異なるノズルをねじ込み固定とする。ヘッド本体の複数のノズル取付部に、超遠投ノズル、遠投ノズル及び近投ノズルをねじ込み固定する。
【発明の効果】
【００２１】
（基本的な効果）
本発明の水噴霧ヘッドによれば、ヘッド本体のねじ穴を開口したノズル取付部に、
ノズルの多角ボルト面、例えば六角ボルト面に続くねじ部をヘッド本体に設けたヘッド取付部のねじ穴にねじ込み固定し、ヘッド本体におけるノズル取付部の所定の形状により位置合せ基準面を形成する位置合せ部を設け、ヘッド本体のノズル取付部ねじ穴にノズルのねじ部をねじ込んで締め付け固定する際の最終締め付け位置で、位置合せ基準面に所定の六角ボルト面を位置決めする構造を設けたため、ヘッド本体の位置合せ基準面により見える位置合せラインに、所定の六角ボルト面のラインが合うように、ノズル先端の軸線上から見て位置決めを行うこと可能とし、ライン同士の位置決めとなることから、高い精度でノズルの取付け方向を決める位置決めが簡単且つ容易にできる。
【００２２】
また、ノズルの先端にキャップを嵌めた状態であっても、キャップにより隠れることなく、ノズル先端側からヘッド本体の位置合せ基準面による位置合せラインと、合せ面表示マーカを設けたノズルの六角ボルト面のラインをノズル先端の軸線上から見ることができ、高い精度でノズルの取付け方向を決める位置決めが簡単且つ容易にできる。
【００２３】
また、ヘッド本体におけるノズル取付部の位置合せ基準面は、ノズル取付面の形状により形成しており、例えばフライス加工で位置合せ基準面を高い精度で形成でき、ドリル作業による位置決めマーカなどの加工に比べ、高い加工精度が得られ、またヘッド本体に対する加工作業も容易になる。
【００２４】
また、ヘッド本体に対するノズルの位置決め固定のための締め込み作業を一度で完了できるため、ノズル取付部からの漏れを確実に防止できる。
【００２５】
（第１の位置合せ部による効果）
位置合せ部は、ねじ穴開口面のねじ穴を含む径方向に凹陥部を形成し、当該凹陥部の段部により平行な一対の位置合せ面を形成し、ノズル取付部のねじ穴にノズルのねじ部をねじ込んで締め付け固定する際の最終締め付け位置で、一対の位置合せ基準面にノズルの所定の六角ボルト面を位置合せする構造としたため、一対の位置合せ基準面の形成は、ねじ穴開口面に対するフライス加工で簡単且つ高精度に形成可能である。
【００２６】
また、ノズル先端の軸線上から見て，ヘッド本体側の一対の位置合せ基準面による２本の位置合せラインに、合せ面表示マーカを表示したノズルの相対する一対の六角ボルト面による２本のラインを合せる位置決めを行うこと可能とし、２本のライン同士の位置決めとなることから、高い精度でノズルの取付け方向を決める位置決めが簡単且つ容易にできる。
【００２７】
（第２の位置合せ部による効果）
また、位置合せ部は、ねじ穴開口面の両側に一対の矩形張出し部を平行に形成し、当該一対の矩形張出し部の外側面により平行な一対の位置合せ基準面を形成し、ノズル取付部のねじ穴にノズルのねじ部をねじ込んで締め付け固定する際の最終締め付け位置で、一対の位置合せ基準面にノズルの所定の六角ボルト面を位置合せする構造としたため、一対の位置合せ基準面の形成は、ヘッド本体を鋳造成形する場合の型出しで、ねじ穴開口面の両側に一対の矩形張出し部を平行に形成し、矩形張出部の外面をフライス加工して仕上げることで、一対の矩形張出し部の外側面により平行な一対の位置合せ基準面を簡単且つ高精度に形成可能である。
【００２８】
また、ノズル先端の軸線上から見て、ヘッド本体側の一対の位置合せ基準面による２本の位置合せラインに、合せ面表示マーカを表示したノズルの相対する一対の六角ボルト面による２本のラインを合せるノズル先端の軸線上から見て位置決めを行うこと可能とし、２本のライン同士の位置決めとなることから、高い精度でノズルの取付け方向を決める位置決めが簡単且つ容易にできる。
【００２９】
（第３の位置合せ部による効果）
また、位置合せ部は、ねじ穴開口面の外側の径方向に一対の切欠段部を形成し、当該一対の切欠段部により平行な一対の位置合せ基準面を形成し、ノズル取付部のねじ穴にノズルのねじ部をねじ込んで締め付け固定する際の最終締め付け位置で、一対の位置合せ基準面にノズルの所定の六角ボルト面を位置合せする構造としたため、一対の位置合せ基準面の形成は、ねじ穴開口面の外側の相対する２箇所に対するフライス加工で簡単且つ高精度に形成可能である。
【００３０】
また、ノズル先端の軸線上から見て，ヘッド本体側の一対の位置合せ基準面による２本の位置合せラインに、合せ面表示マーカを表示したノズルの相対する一対の六角ボルト面による２本のラインを合せる位置決めを行うこと可能とし、２本のライン同士の位置決めとなることから、高い精度でノズルの取付け方向を決める位置決めが簡単且つ容易にできる。
【００３１】
（第４の位置合せ部による効果）
また、位置合せ部は、ねじ穴開口面の外側に、ノズルの六角ボルト面より大きい六角ナット面を位置合せ基準面として形成し、ノズル取付部のねじ穴にノズルのねじ部をねじ込んで締め付け固定する際の最終締め付け位置で、相対する六角ナット面と六角ボルト面を位置合せする構造としたため、ノズル先端の軸線上から見て，ヘッド本体側の六角ナット面による位置合せ基準面に、ノズルの六角ボルト面を合せる位置決めを行うこと可能とし、六角ナット面と六角ボルト面同士の位置決めとなることから、高い精度でノズルの取付け方向を決める位置決めが簡単且つ容易にできる。
【００３２】
（合せ面表示マーカによる効果）
位置合せ基準面に、位置決めする所定の六角ボルト面を表示する合せ面表示マーカを設けるようにしたため、ノズル側の六角ボルト面について、どのボルト面をノズル取付部側の基準位置合せ面に位置合せするかが簡単に分かり、位置合せ作業を容易にする。
【図面の簡単な説明】
【００３３】
【図１】トンネル水噴霧設備の設置状態をトンネル断面で示した説明図
【図２】本発明による水噴霧ヘッドの実施形態を示した説明図
【図３】ヘッド本体の断面図
【図４】ヘッド本体とそのノズル取付部の端面を取出して示した説明図
【図５】ヘッド本体に設ける３箇所のノズル取付部を取出して示した説明図
【図６】超遠投ノズルの取付けと位置決めを示した説明図
【図７】超遠投ノズルの平面、側面、正面及び断面を示した説明図
【図８】遠投ノズルの取付けと位置決めを示した説明図
【図９】遠投ノズルの側面、正面及び断面を示した説明図
【図１０】近投ノズルの取付けと位置決めを示した説明図
【図１１】近投ノズルの平面、側面、正面及び断面を示した説明図
【図１２】ヘッド側の位置決め基準面に位置合せするノズル側の六角ボルト面との他の実施形態を示した説明図
【図１３】ヘッド本体のノズル取付部に位置決め用の六角ナット面を形成した水噴霧ヘッドの他の実施形態を示した説明図
【図１４】図１３のヘッド本体を取り出して示した説明図
【発明を実施するための形態】
【００３４】
［トンネル水噴霧設備の概要］
図１はトンネル水噴霧設備の設置状態をトンネル断面で示した説明図である。図１に示すように、トンネル壁面１０の上部に対してはコンクリート躯体内を通して水噴霧配管１６を立ち上げており、トンネル壁面１０から突出した部分に水噴霧ヘッド１８を設けている。
【００３５】
水噴霧配管１６は給水本管１２に分岐接続しており、途中に自動弁装置１４を設けている。自動弁装置１４はトンネル内の火災時に遠隔制御により開制御され、給水本管１２に消火ポンプから加圧給水された消火用水を、水噴霧配管１６を通して水噴霧ヘッド１８に供給し、水噴霧ヘッド１８からトンネル路面１１及びトンネル壁面１０を含む放水対象空間に消火用水を放水して、トンネル躯体の防護及び火災の抑制を行う。
【００３６】
［水噴霧ヘッドの構成］
（水噴霧ヘッドの概要）
図２は本発明による水噴霧ヘッドの実施形態を示した説明図、図３はヘッド本体の断面図、図４はヘッド本体とそのノズル取付部の端面を取出して示した説明図、図５はヘッド本体に設ける３箇所のノズル取付部を取出して示した説明図である。
【００３７】
図２に示すように、本実施形態の水噴霧ヘッド１８は、ヘッド本体２０を有し、ヘッド本体２０の下部に配管接続口２１を形成し、上部に横向きに超遠投ノズル取付部２２を形成し、そこに超遠投ノズル２８を取り付けている。ヘッド本体２０の下部には斜め上向きに遠投ノズル取付部２４を形成し、そこに遠投ノズル３０を取り付けている。更に、ヘッド本体２０の下部には斜め下向きに近投ノズル取付部２６を生成し、そこに近投ノズル３２を取り付けている。
【００３８】
超遠投ノズル２８の先端には想像線で示すようにキャップ３４ａを装着し、キャップ３４ａはバンド部３４ｂを介して取付部３４ｃを超遠投ノズル取付部２２に嵌め込み固定している。また、遠投ノズル３０の先端にもキャップ３６ａを装着し、キャップ３６ａはバンド部３６ｂを介してヘッド本体２０の背後に突出したノブ２５に嵌め込み固定している。更に、近投ノズル３２の先端にもキャップ３８ａを装着し、キャップ３８ａはバンド部３８ｂを介してヘッド本体２０の背後に突出したノブ２５に嵌め込み固定している。
【００３９】
ヘッド本体２０は、図３に示すように、内部を消火用水の供給通路とし、ヘッド本体２０の上部にねじ穴４０を形成した超遠投ノズル取付部２２を設け、ヘッド本体２０の下部に斜め上向きにねじ穴４６を形成した遠投ノズル取付部２４を設け、ヘッド本体２０の下部に斜め下向きにねじ穴５２を形成した近投ノズル取付部２６を設けている。
【００４０】
（超遠投ヘッドと取付部の構成）
図４及び図５（Ａ）に示すように、ヘッド本体２０の上部に形成した超遠投ノズル取付部２２は、ねじ穴４０を含む開口面における横方向となる径方向に凹陥部４２を形成し、凹陥部４２の段部により平行な一対の位置合せ基準面４４を形成している。超遠投ノズル取付部２２に対する凹陥部４２の形成は、フライスによる矩形溝の加工で、高精度に形成できる。凹陥部４２の位置合せ基準面４４は、超遠投ノズル２２をねじ穴４０にねじ込んで締め付け固定する際の位置決めに使用する。
【００４１】
（遠投ヘッドと取付部の構成）
図４及び図５（Ｂ）に示すように、ヘッド本体２０の下部に斜め上向きに形成した遠投ノズル取付部２４は、ねじ穴４６の開口面の両側に一対の矩形張出し部４８を平行に形成し、一対の矩形張出し部４８の外側面に平行な一対の位置合せ基準面５０を形成している。遠投ノズル取付部２４に対する矩形張出し部４８の形成は、ヘッド本体２０を鋳型により鋳造する際に矩形張出し部４８一体に形成し、その後に、外側面をフライス加工して位置決め基準面５０を形成する。矩形張出し部４８の位置合せ基準面５０は、遠投ノズル３０をねじ穴４６にねじ込んで締め付け固定する際の位置決めに使用する。
【００４２】
（近投ヘッドと取付部の構成）
図４及び図５（Ｃ）に示すように、ヘッド本体２０の下部に斜め下向きに形成した近投ノズル取付部２６は、ねじ穴５２の開口面の外側の径方向に一対の切欠段部５４を形成し、一対の切欠段部５４により平行な一対の位置合せ基準面５６を形成している。近投ノズル取付部２６に対する切欠段部５４の形成は、フライス加工により高精度に形成できる。切欠段部５４の位置合せ基準面５６は、近投ノズル３２をねじ穴５２にねじ込んで締め付け固定する際の位置決めに使用する。
【００４３】
（超遠投ノズルの取付け）
図６は超遠投ノズルの取付けと位置決めを示した説明図であり、図６（Ａ）に超遠投ノズル取付部を側面及び平面で示し、図６（Ｂ）に超遠投ノズル取付部と超遠投ノズルの取付け前の状態を示し、図６（Ｃ）に超遠投ノズル取付部に対し超遠投ノズルの位置決めして取り付けた状態を示している。また図７は超遠投ノズルの平面、側面、正面及び断面を示した説明図である。
【００４４】
図７に示すように、超遠投ノズル２８は、略中央に六角ボルト部６０を備え、取付け側にテーパねじ部６２を設け、先端にノズル開口６８を備えたノズル部６４を設け、内部流路７０から流入した消火用水をノズル開口６８から散水する。ノズル開口６８は中心軸線の方向から見て横長の楕円開口であり、ヘッド本体１８２０に超遠投ノズル２８を取り付けた場合に、楕円開口が横向きとなるように位置決めする必要がある。
【００４５】
六角ボルト部６０の相対する一対の所定の六角ボルト面６０ａ，６０ｄには合せ面表示マーカ６６を設けている。合せ面表示マーカ６６は、ヘッド本体２０の超遠投ノズル取付部２２のねじ穴４０に、超遠投ノズル２８のテーパねじ部６２をねじ込んで締め付け固定する際の最終締め付け位置で、位置合せ基準面４４に位置決めする所定の六角ボルト面６０ａ，６０ｄを表示する。六角ボルト面６０ａ，６０ｄに設ける合せ面表示マーカ６６は、図示のような矩形のシールマーカを貼り付け以外に、所定の刻印を刻んでも良いし、また、所定の色を塗装しても良く、適宜の表示方法が適用できる。
【００４６】
ヘッド本体２０の超遠投ノズル取付部２２に対する超遠投ノズル２８の取付は、図６（Ｂ）に示すように、超遠投ノズル取付部２２のねじ穴４０に対し超遠投ノズル２８のテーパねじ部６２を位置あわせしてからねじ込み固定する。
【００４７】
この場合、超遠投ノズル取付部２２のねじ穴４０に超遠投ノズル２８のテーパねじ部６２をねじ込んで締め付け固定する際の最終締め付け位置で、図６（Ｃ）に示すように、ノズル先端の中心軸線の方向から見て、超遠投ノズル取付部２２の位置合せ基準面４４により見える２本の平行する位置合せ基準ラインに対し、合せ面表示マーカ６６を設けている超遠投ノズル２８の相対した一対の六角ボルト面６０ａ，６０ｄにより見える２本の平行したラインを合せるように、超遠投ノズル２８を締め込んで位置決めする。なお、図６（Ｃ）の右側の平面については、最終締め付け位置に閉め込む前の六角ボルト部を想像線で示している。
【００４８】
このようにヘッド本体２０の位置合せ基準面４４により見える２本の位置合せラインに、超遠投ノズル２８の合せ面表示マーカ６６を設けた一対の六角ボルト面６０ａ，６０ｂのラインが合うように、ノズル先端の中心軸線の方向から見て位置決めを行うこと可能とし、ライン同士の位置決めとなることから、高い精度でノズルの取付け方向を決める位置決めが簡単且つ容易にできる。特に、２本のライン同士の位置決めとなることから、より高い精度でノズルの取付け方向を決める位置決めが簡単且つ容易にできる。
【００４９】
また、超遠投ノズル２８に先端に、図２に示したように、キャップ３４ａを嵌めた状態であっても、キャップ３４ａにより隠れることなく、ヘッド本体２０の位置合せ基準面４４による位置合せラインと、合せ面表示マーカ６６を設けたノズルの六角ボルト面６０ａ，６０ｄのラインをノズル先端の中心軸線の方向から見ることができ、高い精度でノズルの取付け方向を決める位置決めが簡単且つ容易にできる。
【００５０】
また、ヘッド本体２０における超遠投ノズル取付部２２の位置合せ基準面４４は、フライス加工により高い精度で形成でき、ドリル作業による位置決めマーカなどの加工に比べ、高い加工精度が得られ、またヘッド本体に対する加工作業も容易になる。また、ヘッド本体２０に対する超遠投ノズル２８の位置決め固定のための締め込み作業を一度で完了できるため、ノズル取付部分からの水漏れを確実に防止できる。
【００５１】
（遠投ノズルの取付け）
図８は遠投ノズルの取付けと位置決めを示した説明図であり、図８（Ａ）に遠投ノズル取付部を側面及び平面で示し、図８（Ｂ）に遠投ノズル取付部と遠投ノズルの取付け前の状態を示し、図８（Ｃ）に遠投ノズル取付部に対し遠投ノズルの位置決めして取り付けた状態を示している。また図９は遠投ノズルの側面、正面及び断面を示した説明図である。
【００５２】
図９に示すように、遠投ノズル３０は、略中央に六角ボルト部７２を備え、取付け側にテーパねじ部７４を形成し、先端にノズル開口８０を斜め下向きに備えたノズル部７６を設け、内部流路８２から流入した消火用水をノズル開口８０から散水する。ノズル開口８０は、ヘッド本体２０に遠投ノズル３０を取り付けた場合に、下向きとなるように位置決めする必要がある。
【００５３】
六角ボルト部７２の相対する一対の所定の六角ボルト面７２ａ，７２ｄには位置合せ表示部として合せ面表示マーカ７８を設けている。合せ面表示マーカ７８は、ヘッド本体２０の遠投ノズル取付部２４のねじ穴４６に、遠投ノズル３０のテーパねじ部７４をねじ込んで締め付け固定する際の最終締め付け位置で、位置合せ基準面５０に位置決めする所定の六角ボルト面７２ａ，７２ｄを表示する。この合せ面表示マーカ７８は、図示のような矩形のシールマーカを貼り付け以外に、所定の刻印を刻んでも良いし、また、所定の色を塗装しても良く、適宜の表示方法が適用できる。
【００５４】
ヘッド本体２０の遠投ノズル取付部２４に対する遠投ノズル３０の取付は、図８（Ｂ）に示すように、遠投ノズル取付部２４のねじ穴４６に対し遠投ノズル３０のテーパねじ部７４を位置あわせしてねじ込み固定する。
【００５５】
この場合、遠投ノズル取付部２４のねじ穴４６に遠投ノズル３０テーパねじ部７４をねじ込んで締め付け固定する際の最終締め付け位置で、図８（Ｃ）に示すように、ノズル先端の中心軸線の方向から見て、遠投ノズル取付部２４の位置合せ基準面５０により見える２本の平行する位置合せ基準ラインに対し、合せ面表示マーカ７８を設けている遠投ノズル３０の相対した一対の六角ボルト面７２ａ，７２ｄにより見える２本の平行したラインを合せるように、遠投ノズル３０を締め込んで位置決めする。なお、図８（Ｃ）の右側の平面については、最終締め付け位置に閉め込む前の六角ボルト部を想像線で示している。
【００５６】
このようにヘッド本体２０の位置合せ基準面５０により見える位置合せラインに、遠投ノズル３０の合せ面表示マーカ７８を設けた一対の六角ボルト面７２ａ，７２ｂのラインが合うように、ノズル先端の中心軸線の方向から見て位置決めを行うこと可能とし、ライン同士の位置決めとなることから、高い精度でノズルの取付け方向を決める位置決めが簡単且つ容易にでき、特に、２本のライン同士の位置決めとなることから、より高い精度でノズルの取付け方向を決める位置決めが簡単且つ容易にできる。
【００５７】
また、遠投ノズル３０に先端に、図２に示したように、キャップ３６ａを嵌めた状態であっても、キャップ３６ａにより隠れることなく、ヘッド本体２０の位置合せ基準面５０による位置合せラインと、合せ面表示マーカ７８を設けたノズルの六角ボルト面７２ａ，７２ｄのラインをノズル先端の中心軸線の方向から見ることができ、高い精度でノズルの取付け方向を決める位置決めが簡単且つ容易にできる。
【００５８】
また、ヘッド本体２０における遠投ノズル取付部２４の位置合せ基準面５０は、ヘッド本体２０の鋳造で形成した矩形張出し部４８の外側面をフライス加工することで高い精度で形成でき、ドリル作業による位置決めマーカなどの加工に比べ、高い加工精度が得られ、またヘッド本体に対する加工作業も容易になる。また、ヘッド本体２０に対する遠投ノズル３０の位置決め固定のための締め込み作業を一度で完了できるため、ノズル取付部分からの水漏れを確実に防止できる。
【００５９】
（近投ノズルの取付け）
図１０は近投ノズルの取付けと位置決めを示した説明図であり、図１０（Ａ）に近投ノズル取付部を側面及び平面で示し、図１０（Ｂ）に近投ノズル取付部と近投ノズルの取付け前の状態を示し、図１０（Ｃ）に近遠投ノズル取付部に対し近投ノズルの位置決めして取り付けた状態を示している。また図１１は近投ノズルの平面、側面、正面及び断面を示した説明図である。
【００６０】
図１１に示すように、近投ノズル３２は、略中央に六角ボルト部８４を備え、取付け側にテーパねじ部８６を形成し、先端にノズル開口９４を備えたノズル部８８を設け、内部流路９２から流入した消火用水をノズル開口９４から散水する。ノズル開口９４は円形であり、中心軸線の方向から見てノズル回転方向の位置を特定の位置に位置決めする必要はないが、ヘッド本体側に対するヘッド側のねじ込みによる中心軸線の方向のねじ込み位置を所定の位置に調整する必要がある。
【００６１】
六角ボルト部８４の相対する一対の所定の六角ボルト面８４ａ，８４ｂには合せ面表示マーカ９０を設けている。合せ面表示マーカ９０は、ヘッド本体２０の近投ノズル取付部２６のねじ穴５２に、近投ノズル３２のテーパねじ部８６をねじ込んで締め付け固定する際の最終締め付け位置で、位置合せ基準面５６に位置決めする所定の六角ボルト面８４ａ，８４ｄを表示する。六角ボルト面８４ａ，８４ｄに設ける合せ面表示マーカ９０は、図示のような矩形のシールマーカを貼り付け以外に、所定の刻印を刻んでも良いし、また、所定の色を塗装しても良く、適宜の表示方法が適用できる。
【００６２】
ヘッド本体２０の近投ノズル取付部２６に対する近投ノズル３２の取付けは、図１０（Ｂ）に示すように、近投ノズル取付部２６のねじ穴５２に対し近投ノズル３２のテーパねじ部８６を位置あわせしてねじ込み固定する。
【００６３】
この場合、近投ノズル取付部２６のねじ穴５２に近投ノズル３２のテーパねじ部８６をねじ込んで締め付け固定する際の最終締め付け位置で、図１０（Ｃ）に示すように、ノズル先端の中心軸線の方向から見て、近投ノズル取付部２６の位置合せ基準面５６により見える２本の平行する位置合せ基準ラインに対し、合せ面表示マーカ９０を設けている近投ノズル３２の相対した一対の六角ボルト面８４ａ，８４ｄにより見える２本の平行したラインを合せるように、近投ノズル３２を締め込んで位置決めする。この位置決めにより、近投ノズル３２は、ヘッド本体側に対しノズル先端のノズル開口位置が中心軸線上の正しい所定位置となるように位置決めできる。なお、図１０（Ｃ）の右側の平面については、最終締め付け位置に閉め込む前の六角ボルト部を想像線で示している。
【００６４】
このようにヘッド本体２０の位置合せ基準面５６により見える位置合せラインに、近投ノズル３２の合せ面表示マーカ９０を設けた一対の六角ボルト面８４ａ，８４ｂのラインが合うように、ノズル先端の中心軸線の方向から見て位置決めを行うこと可能とし、ライン同士の位置決めとなることから、高い精度でノズルの取付け方向を決める位置決めが簡単且つ容易にできる。特に、２本のライン同士の位置決めとなることから、より高い精度でノズルの取付け方向を決める位置決めが簡単且つ容易にできる。
【００６５】
また、近投ノズル３２の先端に、図２に示したように、キャップ３８ａを嵌めた状態であっても、キャップ３８ａにより隠れることなく、ヘッド本体２０の位置合せ基準面５６による位置合せラインと、合せ面表示マーカ９０を設けた近投ノズル３２の六角ボルト面８４ａ，８４ｄのラインをノズル先端の中心軸線の方向から見ることができ、高い精度でノズルの取付け方向を決める位置決めが簡単且つ容易にできる。
【００６６】
また、ヘッド本体２０における近投ノズル取付部２６の位置合せ基準面５６は、フライス加工により高い精度で形成でき、ドリル作業による位置決めマーカなどの加工に比べ、高い加工精度が得られ、またヘッド本体に対する加工作業も容易になる。また、ヘッド本体２０に対する近投ノズル３２の位置決め固定のための締め込み作業を一度で完了できるため、ノズル取付部分からの水漏れを確実に防止できる。
【００６７】
［位置合せ基準面の他の実施形態］
図１２は、ヘッド側の位置決め基準面に位置合せするノズル側の六角ボルト面との他の実施形態を示した説明図である。
【００６８】
図１２（Ａ）は、図５（Ｂ）及び図６に示した遠投ノズル取付部２４に対する遠投ノズル３０の位置合せであり、右側に遠投ノズル取付部２４を示し、左側に遠投ノズル３０を取り付け位置決めした状態で中心軸線の方向から見た六角ボルト部７２の外形をしめしている。
【００６９】
この実施形態にあっては、遠投ノズル取付部２４に一対の矩形張出し部４８を相対して形成し、その外側の２面を位置合せ基準面５０としており、この位置合せ基準面５０に、合せ面表示マーカ７８を設けた六角ボルト面７２ａ，７２ｄを合わせるように位置決めしている。
【００７０】
図１２（Ｂ）の実施形態は、遠投ノズル取付部２４に、一対の矩形張出し部４８を２組設け、これを６０度ずらして形成し、その外側の４面を位置合せ基準面５０としており、この位置合せ基準面５０に、合せ面表示マーカ７８を設けた六角ボルト面７２ｂ，７２ｃ，７２ｅ，７２ｆを合せるように位置決めしている。この場合、４面の位置合せ基準面５０に対する同じく４面の六角ボルト面７２ｂ，７２ｃ，７２ｅ，７２ｆの位置合せとなることから、より高い位置決め精度が得られる。
【００７１】
図１２（Ｃ）の実施形態は、遠投ノズル取付部２４に、一対の矩形張出し部４８を隣接して設け、その外側の２面を位置合せ基準面５０としており、この位置合せ基準面５０に、合せ面表示マーカ７８を設けた六角ボルト面７２ｅ，７２ｆを合せるように位置決めしている。この場合、隣接した２面の位置合せ基準面５０に対する同じく隣接した２面の六角ボルト面７２ｅ，７２ｄの位置合せとなることから、位置合せ作業がより容易にできる。
【００７２】
なお、図１２には、遠投ノズル取付部２４に対する遠投ノズル３０の位置合せを例にとっているが、超遠投ノズル取付部２２に対する超遠投ノズル２８の位置合せ、及び近投ノズル取付部２６に対する近投ノズル３０の位置合せについても、図１２（Ｂ）（Ｃ）と同様に、位置合せ基準面を形成して位置合せするようにしても良い。
【００７３】
また、上記の実施形態は、ノズル側のボルト部を六角ボルト面としているが、８角ボルト面や１２角ボルト面などの任意の多角ボルト面とし、これに対応してノズル取付部側に位置決め基準面を設けても良い。
【００７４】
［水噴霧ヘッドの他の実施形態］
図１３はヘッド本体のノズル取付部に位置決め用の六角ナット面を形成した水噴霧ヘッドの他の実施形態を示した説明図、図１４は図１３のヘッド本体を取り出して示した説明図である。
【００７５】
図１３に示すように、本実施形態の水噴霧ヘッド１８は、ヘッド本体２０の上部に斜め上向きに超遠投ノズル取付部２２を形成して超遠投ノズル２８を取り付け、ヘッド本体２０の下部に斜め上向きに遠投ノズル取付部２４を形成して遠投ノズル３０を取り付け、更に、ヘッド本体２０の下部に斜め下向きに近投ノズル取付部２６を生成して近投ノズル３２を取り付けている。
【００７６】
この点は図２の実施形態と基本的に同様であるが、本実施形態にあっては、超遠投ノズル取付部２２、遠投ノズル取付部２４、及び近投ノズル取付部２６の各々に、図３から明らかなように、位置決め基準面として六角ナット部１００，１０２，１０４を形成している。
【００７７】
六角ナット部１００，１０２，１０４は、これに相対する超遠投ノズル取付部２２、遠投ノズル取付部２４、及び近投ノズル取付部２６の六角ボルト部６６，７２，８４に対し大きいサイズとしており、ノズル外側の中心軸線方向から見た場合に、六角ナット部１００，１０２，１０４の内側にノズル側の六角ボルト部６６，７２，８４が見えるようにしている。
【００７８】
また超遠投ノズル取付部２２、遠投ノズル取付部２４、及び近投ノズル取付部２６のねじ穴４０，４６，５２にノズル側のねじ部をねじ込んで締め付け固定する際の最終締め付け位置で、相対する所定の六角ボルト面６６ａ，７２ａ，８４ａと所定の六角ナット面１００ａ，１０２ａ，１０４ａの各々に、合せ面表示マーカ６６，７８，９０及び合せ面表示マーカ１０６，１０８，１１０を設けている。
【００７９】
このようにヘッド本体２０のノズル取付部側の位置合せ基準面となる六角ナット部５６の合せ面表示マーカ１０６，１０８，１１０を設けた六角ナット面１００ａ，１０２ａ，１０４ａに、合せ面表示マーカ６６，７２，８４を設けたノズル側の六角ボルト面６６ａ，７２ａ，８４ａを合うように、ノズル先端の中心軸線の方向から見て位置決めを行うこと可能とし、六角ナット面１００ａ，１０２ａ，１０４ａと六角ボルト面６６ａ，７２ａ，８４ａ同士の位置決めとなることから、高い精度でノズルの取付け方向を決める位置決めが簡単且つ容易にできる。特に、六角形のライン同士の位置決めとなることから、より高い精度でノズルの取付け方向を決める位置決めが簡単且つ容易にできる。
【００８０】
また、超遠投ノズル取付部２２、遠投ノズル取付部２４、及び近投ノズル取付部２６の先端に、図２に示したように、キャップを嵌めた状態であっても、キャップにより隠れることなく、六角ナット面１００ａ，１０２ａ，１０４ａと六角ボルト面６６ａ，７２ａ，８４ａ同士の位置決めを、ノズル先端の中心軸線の方向から見て簡単且つ容易に行うことができる。
【００８１】
［本発明の変形例］
上記の実施形態にあっては、超遠投ノズル取付部、遠投ノズル取付部及び近投ノズル取付部に位置合せ基準面を形成する構造として、それぞれ異なる構造を例にとっているが、全て同じ構造により位置合せ基準面を形成しても良いし、適宜に組み合わせても良い。
【００８２】
また、上記の実施形態は、トンネル水噴霧設備に使用する水噴霧ヘッドを例にとるものであったが、それ以外の用途に使用するヘッド本体にノズルをねじ込みにより取付け固定する構造の水噴霧ヘッドについて、同様に適用できる。
【００８３】
また、上記の実施形態は、ノズル取付部の位置決め基準面に合せるヘッドの多角ナット面に合せ面表示マーカを設け、どの多角ボルト面を位置決め基準面に合せるかを示しているが、作業者はヘッド取付部に対するノズルの取付姿勢がどうなるかは十分に認識していることから、合せ面表示マーカを設けなくとも、所定の多角ボルト面を位置合せ基準面に位置合せすることが可能であり、合せ面表示マーカは必ずしも設けなくとも良い。
【００８４】
また、本発明はその目的と利点を損なうことのない適宜の変形を含み、更に上記の実施形態に示した数値による限定は受けない。
【符号の説明】
【００８５】
１０：トンネル壁面
１８：水噴霧ヘッド
２０：ヘッド本体
２２：超遠投ノズル取付部
２４：遠投ノズル取付部
２６：近投ノズル取付部
２８：超遠投ノズル
３０：遠投ノズル
３２：近投ノズル
３４ａ，３６ａ，３８ａ：キャップ
４０，４６，５２：ねじ穴
４２：凹陥部
４４，５０，５６：位置合せ基準面
４８：矩形張出し部
５４：切欠段部
６０，７２，８４：六角ボルト部
６０ａ，６０ｄ，７２ａ，７２ｄ，８４ａ，８４ｄ：六角ボルト面
６２，７４，８６：テーパねじ部
６６，７８，９０，１０６，１０８，１１０：合せ面表示マーカ
１００，１０２，１０４：六角ナット部
【図１】
2015036000.tif 000003
【図２】
2015036000.tif 000004
【図３】
2015036000.tif 000005
【図４】
2015036000.tif 000006
【図５】
2015036000.tif 000007
【図６】
2015036000.tif 000008
【図７】
2015036000.tif 000009
【図８】
2015036000.tif 000010
【図９】
2015036000.tif 000011
【図１０】
2015036000.tif 000012
【図１１】
2015036000.tif 000013
【図１２】
2015036000.tif 000014
【図１３】
2015036000.tif 000015
【図１４】
2015036000.tif 000016